(57)【要約】      （修正有）【課題】制御レバーを搬送ローラに常に押し付けるための付勢手段を必要としないディスク装置を提供する。【解決手段】搬送ローラの金属軸の中央部に制御レバー１３を回転自在に嵌合し、制御レバー１３の端部を搬送ローラ支持体８に支持する構成とし、ディスクが挿入された際の搬送ローラのディスクの厚み方向への移動に連動して制御レバー１３が検出スイッチ１６を作動させる。【選択図】図５
2012014765.tif 000002
【特許請求の範囲】
【請求項１】
ディスクから情報を読み取る光ピックアップユニットを保持するトラバースシャーシと、
前記ディスクの有無を検出する検出スイッチと、
前記トラバースシャーシに固定された搬送ローラ支持体に前記ディスクの厚み方向に移動可能に取り付けられた搬送ローラを有するディスク装置であって、
前記搬送ローラの軸の中央部に制御レバーを回転自在に嵌合し、前記制御レバーの端部を前記搬送ローラ支持体に支持する構成とし、前記ディスクが挿入された際の前記搬送ローラの前記ディスクの厚み方向への移動に連動して前記制御レバーが前記検出スイッチを作動させることを特徴とするディスク装置。
【請求項２】
前記制御レバーの端部と前記搬送ローラ支持体を圧嵌により支持することを特徴とする請求項１に記載のディスク装置。
【請求項３】
前記搬送ローラ支持体の折り曲げ面の中央部に凸形状を形成し、
前記制御レバーの端部に半円形溝を形成し、
前記制御レバーの前記半円形溝と前記搬送ローラ支持体の前記凸形状とが嵌合する構成であり、
前記凸形状の一部が、前記半円形溝よりも幅が大きいことを特徴とする請求項１に記載のディスク装置。
【発明の詳細な説明】
【技術分野】
【０００１】
本発明は、搬送ローラと搬送ローラ支持体が別々に上下するディスク装置のディスク検出機構に関する。
【背景技術】
【０００２】
ディスク挿入の有無を検出するため、ディスク挿入路の上下に光学検出手段を配置すると、ディスク装置の薄型化が難しく部品点数も増える。この問題を解決するため、ディスクを検出する検出スイッチを作動させる制御レバーを設ける。そして、制御レバーの一部を搬送ローラの中央最小径部とディスクとの間に位置させ、この制御レバーの一部を付勢手段により搬送ローラに常時当接させる。そうすると、搬送ローラがディスクの厚み方向に移動すると、制御レバーが検出スイッチを作動させる。
【０００３】
このように、光学検出手段を用いることなく、簡単な機構によりディスクの有無を検出することが提案されている（例えば、特許文献１参照）。
【先行技術文献】
【特許文献】
【０００４】
【特許文献１】特開２００５−２０２９９２号公報
【発明の概要】
【発明が解決しようとする課題】
【０００５】
しかしながら、従来の構造では、制御レバーを搬送ローラに常に押し付けるための付勢手段が必要である。また、制御レバーは、付勢手段により常に搬送ローラに押し付けられているため、搬送ローラがディスク搬送のために回転した際などに、制御レバーと搬送ローラの間で異音が発生する問題があった。
【０００６】
本発明は、従来の問題を解決するためになされたもので、制御レバーを搬送ローラに常に押し付ける付勢手段を必要としないディスク装置を提供することを目的とする。
【課題を解決するための手段】
【０００７】
本発明は、ディスクから情報を読み取る光ピックアップユニットを保持するトラバースシャーシと、ディスクの有無を検出する検出スイッチと、トラバースシャーシに固定された搬送ローラ支持体にディスクの厚み方向に移動可能に取り付けられた搬送ローラを有するディスク装置であって、搬送ローラの軸の中央部に制御レバーを回転自在に嵌合し、制御レバーの端部を搬送ローラ支持体に支持する構成とし、ディスクが挿入された際の搬送ローラのディスクの厚み方向への移動に連動して制御レバーが検出スイッチを作動させることを特徴とする。
【発明の効果】
【０００８】
本発明は、従来の問題を解決するために、制御レバーに設けた丸穴に搬送ローラ軸を通す構成とすることにより、制御レバーを搬送ローラに常に押し付けることがない。したがって、制御レバーと搬送ローラの間で異音が発生することを大幅に低減することが可能なディスク装置を提供することができる。
【図面の簡単な説明】
【０００９】
【図１】本発明の実施形態にかかるディスク装置を内蔵するカーオーディオ装置の全体斜視図
【図２】本発明の実施形態にかかるディスク装置の斜視図
【図３】（ａ）同ディスク装置の側面図（ｂ）同ディスク装置のディスクを挿入した状態の側面図
【図４】同ディスク装置の搬送ローラと搬送ローラ支持体との関係を示す分解斜視図
【図５】同ディスク装置の搬送ローラ周辺を一部断面にした側面図
【図６】同ディスク装置の搬送ローラ支持体と制御レバーの嵌合部の前面図
【図７】同ディスク装置の搬送ローラ支持体と制御レバーの嵌合部の拡大図
【発明を実施するための形態】
【００１０】
以下、本発明の実施の形態のディスク装置１について、図面を用いて説明する。
【００１１】
図１には、本発明の実施の形態のディスク装置１を内蔵するカーオーディオ装置１００の全体斜視図が示されている。このカーオーディオ装置１００では、ディスク装置１のほかにラジオ２０、カセットテープ再生装置３０等を内蔵しており、前面パネル４０には、全機能に共用される表示部４０ａや電源／ボリュームつまみ４０ｂに加えて、ディスク装置１における開閉自在な蓋部１１０ａを備えたディスク挿脱口１１０、ラジオ用のチューニングつまみ２０ａ、カセットテープ挿入口３０ａ等が設けられている。また、内部には、ラジオ２０、カセットテープ再生装置３０、ディスク装置１等を制御する図示しない制御部が設けられている。
【００１２】
図２は、ディスク装置１の斜視図を示し、図３は、ディスク装置１の側面図を示している。図３（ａ）は、ディスク３が挿入されていない状態を示し、図３（ｂ）は、ディスク３を挿入した状態を示している。
【００１３】
図２および図３を用いて、ディスク装置１について説明する。
【００１４】
ディスク装置１は、メインシャーシ２の前面に、ディスク３を挿脱するためのディスク挿脱口４が設けられている。また、メインシャーシ２の上面にはディスクガイド５がねじ止めされ、メインシャーシ２内部にはダンパー６を介してトラバースシャーシ７が装着されている。
【００１５】
また、トラバースシャーシ７の左右折り曲げ面には搬送ローラ支持体８が支持されている。ディスク３は、ディスク挿入口４より挿入され、ディスクガイド５と搬送ローラ１０と挟持される。
【００１６】
また、トラバースシャーシ７は、ディスク挿脱口４から挿入されたディスク３を保持し、ディスク３から情報を読み取るディスク再生部１７を備えている。ディスク再生部１７は、ディスク３を回転させるスピンドルモータ１８、ディスク３の情報を記録再生する光ピックアップ（図示しない）、および当該光ピックアップをディスク３の内周及び外周方向に駆動する機構(図示しない)を備えている。
【００１７】
次に、搬送ローラ１０と搬送ローラ支持体８との関係を示す分解斜視図である図４を用いて詳しくディスク３の有無を検知する機構について説明する。
【００１８】
図４に示すように、搬送ローラ１０は金属軸１１の中央部に制御レバー１３の丸穴１３ａが回転自在に嵌合している。そして、制御レバー１３の両方の外側に１対の合成ゴムよりなる弾性筒体９を嵌合した構成としている。また、金属軸１１の右端部１１ａには、ギア１２が取り付けられている。ギア１２を介して図示しない駆動部が搬送ローラ１０を回転させることにより、ディスク挿脱口４から挿入されたディスク３がディスク再生部１７のスピンドルモータ１８上へ保持される。なお、ディスク３の挿入を感知して搬送ローラ
１０の回転を開始させるスイッチ（図示しない）が設けられている。
【００１９】
また、搬送ローラ支持体８の左右側板には長溝８ａが設けられており、各長溝８ａに金属軸１１の両端部１１ａ、１１ｂが挿入されている。さらに、金属軸１１の両端部１１ａ、１１ｂにはローラカラー１４が装着されている。そして、ローラカラー１４を介して金属軸１１の両端部１１ａ、１１ｂは、下側からバネ１５によって上側に与圧され、長溝８ａの上側に押し付けられている。
【００２０】
また、制御レバー１３の端部１３ｂおよび軸部１３ｃは、搬送ローラ支持体８に形成された上下1対の折り曲げ面８ｂおよび８ｃの隙間に移動可能な状態で嵌合されている。
【００２１】
この部分の詳細を、搬送ローラ１０の周辺の拡大側面図を示す図５を用いて説明する。
【００２２】
制御レバー１３の端部１３ｂおよび軸部１３ｃの厚みよりも、搬送ローラ支持体８の折り曲げ面８ｂ、８ｃで作られる隙間のほうが広くなっている。そのため、制御レバー１３の端部１３ｂおよび軸部１３ｃは、図５に示すＬ方向に移動可能な状態で嵌合されている。また、検出スイッチ１６は、トラバースシャーシ７の折り曲げ面７ａにねじ止めされている。
【００２３】
ここで、ディスク挿脱口４から挿入されたディスク３がディスクガイド５と搬送ローラ１０の間に挿入された際の搬送ローラ支持体８および制御レバー１３の動作を説明する。
【００２４】
ディスク３がディスクガイド５と搬送ローラ１０の間に挿入されると、搬送ローラ１０はバネ１５の与圧に抗して、ディスク３の厚み分だけローラ支持体８の長溝８ａに沿って下降する。そうすると、図５に示すように、搬送ローラ１０の下降に連動して制御レバー１３も仮想線のごとく下降し、検出スイッチ１６に接触する。これら一連の動作によって、ディスク装置１におけるディスク３の有無を検出することができる。
【００２５】
このように、搬送ローラ１０の上下方向の移動に制御レバー１３を連動させて検出スイッチ１６に接触するため、制御レバー１３に付勢手段を必要とせず、部品点数を削減することが可能となる。また、金属軸１１と制御レバー１３の丸穴部１３ａの嵌合部は付勢手段による与圧を受けていないので、搬送ローラ１０が回転した際の嵌合部から異音の発生を大幅に低減することが可能となる。
【００２６】
次に、図６および図７を用いて、搬送ローラ支持体８および制御レバー１３の嵌合部の詳細を説明する。図６は、搬送ローラ支持体８と制御レバー１３の嵌合部の前面図を示し、図７は、その拡大図である。なお、図６は、図５のＭ方向から見た斜視図である。
【００２７】
まず、搬送ローラ支持体８の折り曲げ面８ｃの中央部には凸形状８ｄが形成されている。また、制御レバー１３の端部１３ｂには、半円形溝１３ｄが形成されている。この嵌合部を拡大した図７に示すように、搬送ローラ支持体８の凸形状８ｄの角部８ｅは、制御レバー１３の半円形溝１３ｄよりも幅が大きくなっている。つまり、搬送ローラ支持体８の凸形状８ｄを制御レバー１３の半円形溝１３ｄに圧嵌している。これは、嵌合させた状態で、制御レバー１３の半円形溝１３ｄと搬送ローラ支持体８の凸形状８ｄに隙間を作らないようにするためである。このようにすれば、制御レバー１３は、搬送ローラ支持体８にガタ付き無く保持することができ、振動環境下でのラトルノイズの発生を抑制することが可能となる。さらに、制御レバー１３が搬送ローラ支持体８にガタなく保持されていることにより制御レバー１３の位置が安定し、ディスク検出の精度が高くなる効果も得られる。
【００２８】
なお、以上の説明では、搬送ローラ支持体８の凸形状８ｄの角部８ｅが、制御レバー１３の半円形溝１３ｄより大きな幅とする例を説明したが、本発明はこれに限定されるものではない。例えば、制御レバー１３の端部１３ｂ、および軸部１３ｃの厚みよりも、搬送ローラ支持体８の折り曲げ面８ｂ、８ｃの隙間を狭くし、圧嵌して保持する構成でも良い。
【００２９】
以上説明したように、制御レバー１３に丸穴を設け、その穴に搬送ローラ１０の金属軸１１を通す構成とすることにより、制御レバー１３を搬送ローラ１０に常に押し付けるための付勢手段を必要としない。したがって、制御レバーと搬送ローラの間で異音が発生することを大幅に低減することが可能なディスク装置を提供することができる。
【産業上の利用可能性】
【００３０】
以上のように、本発明にかかるディスク装置は、搬送ローラ回転時の異音発生を抑制することができ、振動環境下でのラトルノイズの発生も抑えるため、車両に搭載されるカーオーディオ機器などに有用である。
【符号の説明】
【００３１】
１  ディスク装置
２  メインシャーシ
３  ディスク
４  ディスク挿入口
５  ディスクガイド
６  ダンパー
７  トラバースシャーシ
８  搬送ローラ支持体
８a  搬送ローラ支持体の長溝
８b  搬送ローラ支持体の折り曲げ面
８c  搬送ローラ支持体の折り曲げ面
８d  搬送ローラ支持体の凸形状
９  弾性筒体
１０  搬送ローラ
１１  金属軸
１１a  金属軸右端部
１１b  金属軸左端部
１２  ギア
１３  制御レバー
１３a  制御レバーの丸穴
１３b  制御レバーの端部
１３c  制御レバーの軸部
１３d  制御レバーの端部の半円形溝
１４  ローラカラー
１５  バネ
１６  検出スイッチ
１７  ディスク再生部
１８  スピンドルモータ
２０  ラジオ
２０ａ  チューニングつまみ
３０  カセットテープ再生装置等
３０ａ  カセットテープ挿入口
４０  前面パネル
４０ａ  表示部
４０ｂ  電源／ボリュームつまみ
１００  カーオーディオ装置
１１０  挿脱口
１１０ａ  蓋部
【図１】
2012014765.tif 000003
【図２】
2012014765.tif 000004
【図３】
2012014765.tif 000005
【図４】
2012014765.tif 000006
【図５】
2012014765.tif 000007
【図６】
2012014765.tif 000008
【図７】
2012014765.tif 000009